(57)【要約】【課題】会員募集システム及び課金徴金システムを両立させることができる空オケＤＶＤ会員の募集システムを提供することを目的とする。【解決手段】発議者Ｋは第１レベル１Ｌの会員Ｋ１〜Ｋ３を募集して加入させ、第２レベル２Ｌ以下の各レベルの会員は下位レベル３Ｌ〜５Ｌの会員を募集して加入させることにより会員ピラミッドＰ１を構築する。発議者Ｋは加入した会員から加入金を徴収するとともに、徴収した加入金の中から下位レベルの会員を加入させた上位レベルの加入者に報酬金を支給し、会員が所定数に到達したならば会員の新規加入は停止し、それまでに加入した会員は空オケ店への来店者へのＤＶＤの販売業者に転向する。【選択図】図３
2015203996.tif 000002
【特許請求の範囲】
【請求項１】
歌唱者がスクリーンの前面で歌唱する画像と音声を記録するＤＶＤを販売するための空オケＤＶＤ会員の募集システムであって、
発議者は第１レベルの会員を募集して加入させ、第２レベル以下の各レベルの会員は下位レベルの会員を募集して加入させ、また発議者は加入した会員から加入金を徴収するとともに、徴収した加入金の中から下位レベルの会員を加入させた上位レベルの加入者に報酬金を支給し、会員が所定数に到達したならば会員の新規加入は停止し、それまでに加入した会員は空オケ店への来店者へのＤＶＤの販売業者に転向することを特徴とする空オケＤＶＤ会員の募集システム。
【請求項２】
発議者は、下位レベルの会員となって下位ピラミッドを構築できることを特徴とする請求項１に記載の空オケＤＶＤ会員の募集システム。
【発明の詳細な説明】
【技術分野】
【０００１】
本発明は、空オケ店に来店する空オケＤＶＤ会員の募集システムに関するものである。
【背景技術】
【０００２】
空オケ店は全国各地に数万店以上あり、今や国民的娯楽となっている。空オケとして、背景が映写されたスクリーンの前面に歌唱者が立ち、マイクを保持してパフォーマンスしながら歌唱するタイプのものが広く普及している。そこで、歌唱する歌唱者をカメラで音声画像記録媒体であるＤＶＤに記録し、このＤＶＤを歌唱者が記念の土産品として持ち帰ることが考えられる。
【発明の概要】
【発明が解決しようとする課題】
【０００３】
上記のようなＤＶＤ持ち帰りシステムを事業としてシステム化することが考えられるが、この場合、課金徴金システムを含む何らかの会員募集システムを構築することが望ましい。
【０００４】
そこで本発明は、会員募集システム及び課金徴金システムを両立させることができる空オケＤＶＤ会員の募集システムを提供することを目的とする。
【課題を解決するための手段】
【０００５】
本発明は、歌唱者がスクリーンの前面で歌唱する画像と音声を記録するＤＶＤを販売するための空オケＤＶＤ会員の募集システムであって、発議者は第１レベルの会員を募集して加入させ、第２レベル以下の各レベルの会員は下位レベルの会員を募集して加入させ、また発議者は加入した会員から加入金を徴収するとともに、徴収した加入金の中から下位レベルの会員を加入させた上位レベルの加入者に報酬金を支給し、会員が所定数に到達したならば会員の新規加入は停止し、それまでに加入した会員は空オケ店への来店者へのＤＶＤの販売業者に転向する。
【０００６】
また発議者は、下位レベルの会員となって下位ピラミッドを構築できる。
【発明の効果】
【０００７】
本発明によれば、適正規模の空オケ会員のピラミッドを構築し、会員募集システム及び徴金システムを両立させることができる空オケＤＶＤ会員の募集システムを実現できる。
【図面の簡単な説明】
【０００８】
【図１】本発明の一実施の形態における空オケ店における空オケＤＶＤ化の撮影システムの構成図
【図２】本発明の一実施の形態におけるＤＶＤの平面図
【図３】本発明の一実施の形態における空オケＤＶＤ会員の募集システムの説明図
【発明を実施するための形態】
【０００９】
図１は、空オケ店における空オケＤＶＤ化の撮影システムの構成図であって、スクリーン１１、機器本体１２、リモコンユニット１３、撮影用のカメラ１４等から成っている。歌唱者Ｓは、スクリーン１１の前面に立ち、マイク１５を保持してパフォーマンスをしながら歌唱する。スクリーン１１には、プロジェクター等（図外）により、例えば桜の木や夜の銀座等の背景が映写されている。カメラ１４は歌唱中の歌唱者Ｓの画像と音声を音声画像記録媒体であるＤＶＤ１６（図２）に記録する。ＤＶＤ１６には任意時間（例えば３人分、２０分間）の画像と音声が記録される。このような音声と画像のＤＶＤ１６への記録システムは公知の記録システムが適用できる。勿論、機器本体１２に歌唱レベルチェックシステム等の付加機能を付与してもよい。
【００１０】
次に、図３を参照して空オケＤＶＤ会員の募集システムを説明する。図３に示すように、このシステムはピラミッド構造となっており、ある段階で会員募集は停止され、それ以後は会員である空オケ店は来店者にＤＶＤを販売する販売業者に転向する。
【００１１】
以下、図３を参照して会員ピラミッドである第１ピラミッドＰ１の構築方法を説明する。第１ピラミッドＰ１は、１Ｌ（第１レベル）から５Ｌ（第５レベル）までの５レベルの例を示している。加入者には、符号Ｋ１、Ｋ２、Ｋ３・・・Ｋｎを付している。レベルの数は任意に決定できる。
【００１２】
ピラミッドＰ１の頂上に位置する発議者Ｋは、第１レベル１Ｌの任意数の会員（本例ではＫ１、Ｋ２、Ｋ３の３人）を募集し加入させる。発議者Ｋは、会員Ｋ１〜Ｋ３から加入金を課金して徴収する。加入金の内訳としては、例えば入会金１万円、ＤＶＤ２枚の代金として１万円、合計２万円とする。次に第１レベル１Ｌの会員Ｋ１〜Ｋ３は、第２レベル２Ｌの会員Ｋ４〜Ｋ１２を募集し加入させる。発議者Ｋは、新規のこれらの各会員Ｋ４〜Ｋ１２から上記と同様の加入金を徴収する。そして、第１レベル１Ｌの会員Ｋ１〜Ｋ３には、それぞれ新規の加入者Ｋ４〜Ｋ１２を加入させたことに対する報酬金（例えば、１人につき１万円）が発議者Ｋから支給される。
【００１３】
次に第２レベル２Ｌの会員Ｋ４〜Ｋ１２は、第３レベル３Ｌの会員Ｋ１３〜Ｋ２７を募集し加入させる。この場合も、発議者Ｋは新規の会員Ｋ１３〜Ｋ２７から上記と同様の加入金を徴収し、その中から第１レベル１Ｌの会員Ｋ１〜Ｋ３と第２レベル２Ｌの会員Ｋ４〜Ｋ１２にそれぞれ応分の報酬金を支給する。支給金額は、例えば第１レベル１Ｌの会員Ｋ１〜Ｋ３には２千円、第２レベル２Ｌの会員Ｋ４〜Ｋ１２には５千円である。以下、同様にして第３レベル３Ｌの会員Ｋ１３〜Ｋ２７、第４レベルの会員Ｋ２８〜Ｋ８１、第５レベルの会員Ｋ８２〜Ｋｎを募集し加入させる。図示しないが、更に第６レベル以下も同様に会員を募集し、あるレベル（例えば第７レベル）あるいはある会員数（例えば５０００人）で募集は中止し、第１ピラミッドの構築はこれを最終レベルとして終了する。そして第１ピラミッドＰ１の構成員である全会員（上述のように、例えば５０００人）は、これ以後は、来店者にＤＶＤを販売する販売業者に転向する。ＤＶＤの価格は任意に決定できる。
【００１４】
以上のことから、ピラミッドを構成する会員は、空オケ店であることが望ましい。因みに、吾国の空オケ人口は約４０００万人程度と推定されており、数万人程度の会員はＤＶＤの販売業者として営業可能と考えられる。
【００１５】
本システムに係るＤＶＤ１６には特殊なロックが掛けられており、市販のＤＶＤは本システムには使用できない。したがって会員となったカラオケ店は、ＤＶＤ１６に適正な付加価値を付して来店客に販売し、相当の利益を上げることが可能となる。
【００１６】
本システムで特徴となるのは、発議者Ｋは、適当なレベル（本例では第３レベルＬ３と第５レベルＬ５）で再度会員として加入し、上記と同様の会員ピラミッドとして第２ピラミッドＰ２、第３ピラミッドＰ３の下位ピラミッドを新たなピラミッドとして新規に構築し、この新規なピラミッドＰ２、Ｐ３によって新たな会員を更に増加させることが可能なことである。
【００１７】
各レベルの各会員にはミニマム責任が課されるべきであり（例えば、毎月５人の加入者獲得義務）、この責任を果たせないと、ピラミッドの構成員から脱退させられ、再起ポストＲＢに移され（矢印Ａ）、報酬金を得る資格を失う。但し、一旦再起ポストＲＢに入れられた者も、その後に所定数の会員獲得に成功すれば、ピラミッドに復帰できるようにしてもよい。
【産業上の利用可能性】
【００１８】
本発明によれば、適正規模の空オケ会員のピラミッドを構築し、会員募集システム及び徴金システムを両立できる空オケＤＶＤ会員の募集システムを実現できるので、既存の空オケ店を会員対象とする空オケＤＶＤ会員の募集システムとして殊に有用である。
【符号の説明】
【００１９】
１１  スクリーン
１２  機器本体
１３  リモコンユニット
１４  カメラ
１５  マイク
１６  ＤＶＤ
Ｐ１、Ｐ２、Ｐ３  会員ピラミッド
【図１】
2015203996.tif 000003
【図２】
2015203996.tif 000004
【図３】
2015203996.tif 000005